(57)【特許請求の範囲】
【請求項１】
車両の乗員に拘束を提供するための車両用エアバッグモジュールであって、
前記車両の前記乗員を拘束するために膨張するように構成された膨張可能なエアバッグクッションを含むクッションパックと、
前記エアバッグクッションを膨張させるために膨張ガスを提供するように構成されたインフレータと、
ベースと前記ベースから延びる壁とを含む環状保持部材であって、前記壁が内向き突出タブを含み、前記タブは、前記クッションパックと係合し、それによって前記エアバッグクッションの展開中に前記クッションパックの一部分を前記タブに対して保持する、前記環状保持部材と、
環状係止部材であって、前記エアバッグの展開中に前記係止部材に対する前記インフレータの実質的な変位を防止するように前記係止部材と前記インフレータとを連結するため、前記インフレータの一部を受容する凹所を含む環状係止部材とを備え、
前記係止部材は、前記ベースが前記係止部材の一部を包囲するように、前記ベースにおける中央開口部の内周と係合し、
前記係止部材は、前記保持部材の前記ベースに連結される
エアバッグモジュール。
【請求項２】
前記保持部材が、前記膨張可能なクッションの膨張方向に対して直角な方向に、各半円環状部分の第１および第２の端部で一つに連結される２つの半円環状部分を含む、請求項１に記載のエアバッグモジュール。
【請求項３】
前記保持部材が、前記クッションパックに対する前記保持部材の適切な配置およびアラインメントを確実にするために前記クッションパックに係合するように構成されたアラインメント部材を含む、請求項１に記載のエアバッグモジュール。
【請求項４】
前記係止部材が、前記膨張可能なクッションの膨張方向に対して直角な方向に、各半円環状部分の第１および第２の端部でコネクタを介して一つに連結される２つの半円環状部分を含む、請求項１に記載のエアバッグモジュール。
【請求項５】
前記クッションパックが、前記エアバッグクッションに連結されかつ前記保持部材のタブと係合するように配置される構造部材を含む、請求項１に記載のエアバッグモジュール。
【請求項６】
前記クッションパックの前記構造部材が、前記保持部材の前記アラインメント部材と係合するように構成された陥凹部分を含む、請求項３に記載のエアバッグモジュール。
【請求項７】
前記保持部材に連結されたカバーをさらに備え、前記カバーの一部を受容するように構成され、前記ベースから延び、かつ間隙により前記壁から分離される外壁を前記保持部材が含む請求項１に記載のエアバッグモジュール。
【請求項８】
前記カバーが、前記カバーを前記保持部材に固定するために前記保持部材と係合する開口を含む、請求項７に記載のエアバッグモジュール。
【請求項９】
前記カバーが、前記カバーに対する前記保持部材の適切なアラインメントおよび配向を確実にするために、前記保持部材と係合するように構成されたアラインメント部材を含む、請求項７に記載のエアバッグモジュール。
【請求項１０】
前記係止部材が、前記係止部材に対する前記インフレータの適切なアラインメントおよび配向を確実にするために前記インフレータのアラインメント部材と係合するように構成されたアラインメント部材を含む、請求項１に記載のエアバッグモジュール。
【請求項１１】
前記保持部材が、前記係止部材に対する前記保持部材の適切なアラインメントおよび配向を確実にするために、前記係止部材の第２アラインメント部材と係合するように構成された第２アラインメント部材を含む、請求項１に記載のエアバッグモジュール。
【請求項１２】
車両の乗員に拘束を提供するための車両用エアバッグモジュールであって、
前記車両の前記乗員を拘束するために膨張するように構成された膨張可能なエアバッグクッションを含むクッションパックと、
前記エアバッグクッションを膨張させるために膨張ガスを提供するように構成されたインフレータと、
それらの端部で相互に連結される２つの半円環状部分を含む環状保持部材であって、前記保持部材の前記半円環状部分は、前記エアバッグクッションが膨張したときに前記クッションパックの一部分が環状保持部材に保持されるように、前記エアバッグクッションの膨張方向に対して直角な方向に連結されて前記保持部材に前記クッションパックの一部を保持する環状保持部材と、
それらの端部で相互に連結される２つの半円環状部分を含む環状係止部材であって、前記係止部材の前記半円環状部分は、前記エアバッグの展開中に前記係止部材に対する前記インフレータの実質的な変位を防止するように、前記係止部材に前記インフレータの一部を保持するため、前記エアバッグクッションの膨張方向に対して直角な方向に連結される環状係止部材とを備え、
前記環状係止部材は前記保持部材に連結され、
前記環状保持部材は、ベースと前記ベースから延びる壁とを含み、
前記環状係止部材は、前記ベースが前記係止部材の一部を包囲するように、前記ベースにおける中央開口部の内周と係合するエアバッグモジュール。
【請求項１３】
前記保持部材の前記２つの半円環状部分が、円弧状部材および円弧状空隙によって一つに連結される、請求項１２に記載のエアバッグモジュール。
【請求項１４】
前記保持部材が、前記クッションパックに対する前記保持部材の適切な配置およびアラインメントを確実にするために前記クッションパックに係合するように構成されたアラインメント部材を含む、請求項１２に記載のエアバッグモジュール。
【請求項１５】
前記保持部材の前記２つの半円環状部分が、フック形部材およびフック形空隙を含むコネクタを介して一つに連結される、請求項１２に記載のエアバッグモジュール。
【請求項１６】
クッションパックが、前記保持部材の前記アラインメント部材に係合するように構成された陥凹部分を有する構造部材を含む、請求項１４に記載のエアバッグモジュール。
【請求項１７】
前記保持部材に連結されたカバーをさらに備え、前記保持部材は、前記カバーの一部を受容するように構成され、間隙により分離される内壁および外壁を含む、請求項１２に記載のエアバッグモジュール。
【請求項１８】
前記カバーが前記カバーを前記保持部材に固定するために前記保持部材と係合する開口を含む、請求項１７に記載のエアバッグモジュール。
【請求項１９】
車両の乗員に拘束を提供するための車両用エアバッグモジュールであって、
前記車両の前記乗員を拘束するために膨張するように構成された膨張可能なエアバッグクッションを含むクッションパックと、
前記エアバッグクッションを膨張させるために膨張ガスを提供するように構成されたインフレータと、
それらの端部で相互に連結される２つの半円環状部分を含む環状保持部材であって、前記保持部材の前記半円環状部分は、前記エアバッグクッションの展開中に前記クッションパックを保持するように、前記エアバッグクッションの膨張方向に対して直角な方向に連結され、前記クッションパックは、前記保持部材の各半円環状部分から径方向内向きに突出するタブにより保持される環状保持部材と、
前記車両の構造部材に連結され、それによって前記エアバッグモジュールを前記車両内の適位置に固定する装着部材と、
前記エアバッグの展開中に前記保持部材に対する前記インフレータの実質的な変位を防止するために前記保持部材に前記インフレータを接続するスタッドと、
環状係止部材であって、前記エアバッグの展開中に前記係止部材に対する前記インフレータの実質的な変位を防止するように前記係止部材と前記インフレータとを連結する環状係止部材とを備え、
前記環状保持部材は、ベースと前記ベースから延びる壁とを含み、
前記環状係止部材は、前記ベースが前記係止部材の一部を包囲するように、前記ベースにおける中央開口部の内周と係合するエアバッグモジュール。
【請求項２０】
前記保持部材が、前記クッションパックと係合しそれによって前記エアバッグクッションの展開中に前記クッションパックの一部分を前記エアバッグモジュールに保持する突出タブを含む、請求項１９に記載のエアバッグモジュール。
【請求項２１】
前記装着部材が前記保持部材と一体的に形成され、前記保持部材の前記各半円環状部分は、ベースと、前記ベースの周囲に延びる環状壁とを含み、各装着部材が前記ベースから延びる、請求項１９に記載のエアバッグモジュール。
【請求項２２】
前記スタッドが前記保持部材と一体的に形成される、請求項１９に記載のエアバッグモジュール。
【請求項２３】
前記保持部材が、前記クッションパックに対する前記保持部材の適切なアラインメントおよび配向を確実にするために前記クッションパックに係合するように構成されたアラインメント部材を含む、請求項１９に記載のエアバッグモジュール。
【請求項２４】
前記保持部材が、前記インフレータに対する前記保持部材の適切なアラインメントおよび配向を確実にするために前記インフレータに係合するように構成された第２アラインメント部材を含む、請求項１９に記載のエアバッグモジュール。
【発明の詳細な説明】
【技術分野】
【０００１】
関連特許出願の相互参照
本願は、２０１０年１月８日出願の米国仮特許出願第６１／２８２，２５４号の優先権および恩典を主張する。前述の仮特許出願はその内容全体が参照により本明細書に組み込まれる。
【背景技術】
【０００２】
本開示は一般的に、自動車用のエアバッグモジュールの分野に関する。さらに詳しくは、この開示は、改善された構成を有するエアバッグモジュールおよび組立の方法に関する。
【発明の概要】
【０００３】
[発明が解決しようとする課題]
【課題を解決するための手段】
【０００４】
開示する実施形態によると、車両の乗員に拘束を提供するための車両で使用するためのエアバッグモジュールが提供される。モジュールは、車両の乗員を拘束するために膨張するように構成された膨張可能なエアバッグクッションを有するクッションパックを含む。モジュールはまた、エアバッグクッションを膨張させるために膨張ガスを提供するように構成されたインフレータ(inflator)と、クッションパックと係合し、それによってエアバッグクッションの展開中にクッションパックの一部分をエアバッグモジュールに保持する環状保持部材とをも含む。環状係止部材がインフレータおよび保持部材に接続される。係止部材は、エアバッグの展開中のインフレータの係止部材に対する実質的な変位を防止するように構成される。
【０００５】
保持部材は、クッションパック内に位置する構造部材と係合する内向き突出タブを含むことができる。保持部材および係止部材は両方とも、２つの部分を連結することによって形成されることができる。保持部材およびクッションパックは、保持部材に対するクッションパックの適切なアラインメントを確実にするように係合する、対応するアラインメント部材または機構を含むことができる。エアバッグモジュールはまた、保持部材に接続されるカバーをも含むことができる。カバーは、エアバッグクッションがカバーを介して車両の室内に展開することができるように、易変形性または易破断性であることができる。保持部材は、車両の構造部材に接続される取り付け部材を含み、それによって車両にエアバッグモジュールを接続するために、車両の適切な場所のエアバックモジュールを取り付け部材に固定することができる。
本願第１の発明は、車両の乗員に拘束を提供するための車両用エアバッグモジュールであって、車両の乗員を拘束するために膨張するように構成された膨張可能なエアバッグクッションを含むクッションパックと、エアバッグクッションを膨張させるために膨張ガスを提供するように構成されたインフレータと、クッションパックと係合し、それによってエアバッグクッションの展開中にクッションパックの一部分をエアバッグモジュールに保持する内向き突出タブを含む環状保持部材と、インフレータに連結され、かつエアバッグの展開中に係止部材に対するインフレータの実質的な変位を防止するように構成された環状係止部材であって、保持部材に連結された環状係止部材と、を備える。
保持部材が、一つに連結される２つの部分を含んでもよい。
保持部材が、クッションパックに対する保持部材の適切な配置およびアラインメントを確実にするためにクッションパックに係合するように構成されたアラインメント部材を含んでもよい。
係止部材が、コネクタを介して一つに連結される２つの部分を含んでもよい。
クッションパックが、エアバッグクッションに連結されかつ保持部材のタブと係合するように配置される構造部材を含んでもよい。
クッションパックの構造部材が、保持部材のアラインメント部材と係合するように構成された陥凹部分を含んでもよい。
エアバッグモジュールは、保持部材に連結されたカバーをさらに備えてもよい。
カバーが、カバーを保持部材に固定するために保持部材と係合する開口を含んでもよい。
カバーが、カバーに対する保持部材の適切なアラインメントおよび配向を確実にするために、保持部材と係合するように構成されたアラインメント部材を含んでもよい。
係止部材が、係止部材に対するインフレータの適切なアラインメントおよび配向を確実にするためにインフレータのアラインメント部材と係合するように構成されたアラインメント部材を含んでもよい。
保持部材が、係止部材に対する保持部材の適切なアラインメントおよび配向を確実にするために、係止部材の第２アラインメント部材と係合するように構成された第２アラインメント部材を含んでもよい。
本願第２の発明は、車両の乗員に拘束を提供するための車両用エアバッグモジュールであって、車両の乗員を拘束するために膨張するように構成された膨張可能なエアバッグクッションを含むクッションパックと、エアバッグクッションを膨張させるために膨張ガスを提供するように構成されたインフレータと、クッションパックに連結され、かつエアバッグクッションが膨張したときに、クッションパックの一部分がエアバッグモジュールに保持されるように構成された環状保持部材と、インフレータに連結され、かつエアバッグの展開中に係止部材に対するインフレータの実質的な変位を防止するように構成された環状係止部材であって、保持部材に連結された環状係止部材と、を備える。
保持部材が、一つに連結される２つの部分を含んでもよい。
保持部材が、クッションパックに対する保持部材の適切な配置およびアラインメントを確実にするためにクッションパックに係合するように構成されたアラインメント部材を含んでもよい。
係止部材が、コネクタを介して一つに連結される２つの部分を含んでもよい。
クッションパックが、保持部材のアラインメント部材に係合するように構成された陥凹部分を有する構造部材を含んでもよい。
エアバッグモジュールは、保持部材に連結されたカバーをさらに備えてもよい。
カバーがカバーを保持部材に固定するために保持部材と係合する開口を含んでもよい。
本願第３の発明は、車両の乗員に拘束を提供するための車両用エアバッグモジュールであって、車両の乗員を拘束するために膨張するように構成された膨張可能なエアバッグクッションを含むクッションパックと、エアバッグクッションを膨張させるために膨張ガスを提供するように構成されたインフレータと、エアバッグクッションの展開中にクッションパックを保持するように構成された環状保持部材と、車両の構造部材に連結され、それによってエアバッグモジュールを車両内の適位置に固定する装着部材と、エアバッグの展開中に保持部材に対するインフレータの実質的な変位を防止するために保持部材にインフレータを接続するスタッドと、を備える。
保持部材が、クッションパックと係合しそれによってエアバッグクッションの展開中にクッションパックの一部分をエアバッグモジュールに保持する突出タブを含んでもよい。
装着部材が保持部材と一体的に形成されてもよい。
スタッドが保持部材と一体的に形成されてもよい。
保持部材が、クッションパックに対する保持部材の適切なアラインメントおよび配向を確実にするためにクッションパックに係合するように構成されたアラインメント部材を含んでもよい。
保持部材が、インフレータに対する保持部材の適切なアラインメントおよび配向を確実にするためにインフレータに係合するように構成された第２アラインメント部材を含んでもよい。
【図面の簡単な説明】
【０００６】
【図１】自動車の例示的実施形態の斜視図である。
【０００７】
【図２】展開または膨張して乗員に拘束を提供する状態を示す運転者側エアバッグの部分的な車両断面図である。
【０００８】
【図３】運転者側エアバッグモジュールの実施形態の斜視図である。
【０００９】
【図４】図３の運転者側エアバッグモジュールの分解組立斜視図である。
【００１０】
【図５】図３の運転者側エアバッグモジュールの部分分解組立斜視図である。
【００１１】
【図６】クッションパックの保持溝と係合した保持部材のタブを示す、図３の運転者側エアバッグモジュールの断面図である。
【００１２】
【図７Ａ】運転者側エアバッグモジュール、例えば図３の運転者側エアバッグモジュール用のエアバッグ・クッション・パックの例示的実施形態である。
【００１３】
【図７Ｂ】図７Ａのエアバッグ・クッション・パックの断面図である。
【００１４】
【図８Ａ】運転者側エアバッグモジュール、例えば図３の運転者側エアバッグモジュール用の保持部材の一部分の例示的実施形態の斜視図である。
【００１５】
【図８Ｂ】運転者側エアバッグモジュール、例えば図３の運転者側エアバッグモジュール用の保持部材の別の部分の例示的実施形態の斜視図である。
【００１６】
【図８Ｃ】図８Ａの第２保持部に結合された図８Ｂの第１保持部の斜視図である。
【００１７】
【図９】保持部材の別の例示的実施形態の斜視図である。
【００１８】
【図１０】保持部材のタブとベースとの間に実質的に固定保持されているクッションリングを示す斜視図である。
【００１９】
【図１１】保持部材とクッションパックとの間に予め定められたアラインメントをもたらすためのアラインメント機構の例示的実施形態を示す斜視図である。
【００２０】
【図１２】係止部材を保持部材に結合するための取り付け部材の例示的実施形態の部分斜視図である。
【００２１】
【図１３Ａ】保持部材と係止部材との間に予め定められたアラインメントをもたらすための保持部材におけるアラインメント機構の例示的実施形態を示す斜視図である。
【００２２】
【図１３Ｂ】保持部材と係止部材との間に予め定められたアラインメントをもたらすための係止部材におけるアラインメント機構の例示的実施形態を示す斜視図である。
【００２３】
【図１４】カバーの例示的実施形態の斜視図である。
【００２４】
【図１５】係止部材の例示的実施形態の２つの係止位置間に位置するインフレータの例示的実施形態の分解組立斜視図である。
【００２５】
【図１６】係止部材に対するインフレータの回転の向きを調整するためのアラインメント機構の例示的実施形態を示す斜視図である。
【００２６】
【図１７】インフレータおよび係止部材を位置合わせするためのアライメント機構を有する係止部材の一部分の例示的実施形態の斜視図である。
【００２７】
【図１８】保持部材の斜視図である。
【００２８】
【図１９】運転者側エアバッグモジュールの斜視図である。
【発明を実施するための形態】
【００２９】
図を一般的に参照しながら、本明細書では、構成部品の個数、質量、およびパッケージングボリュームを低減するように改善された構成を有するエアバッグモジュールを開示する。本明細書に開示するエアバッグモジュールは、逐次構築工程を用いてエアバッグモジュールを組み立てることを可能にする、独立取り付けまたは結合機構を有することによって改善された組立工程を可能にする。これは組立工程の柔軟性を高め、かつ自動製造工程の簡素化を可能にする。
【００３０】
エアバッグモジュールは典型的には、車両の動的衝撃事象中、例えば正面衝突または横転事象中に、乗員の負傷を防止するために車両に配置される。典型的には、エアバッグモジュールは車両内に位置するセンサに接続され、センサを介して受け取りかつモニタされる情報に基づいてエアバッグの展開を開始する。エアバッグモジュールはしばしば、少なくとも１つの膨張可能なエアバッグクッションを含み、エアバッグクッションは典型的には、インフレータによって生成される高圧ガスから展開かつ膨張することができる。インフレータは炸薬（例えば火工装置）を含むことができ、あるいは膨張ガスを急激に発生させるための他の何らかの装置を含むことができ、膨張ガスはエアバッグクッション内に高い体積流量で流入し、エアバッグクッションの内部チャンバ圧力を増大させることによってクッションを拡張させる。助手席用エアバッグは典型的には、車両のダッシュボードまたは計器盤内に収納されかつそこから展開され、典型的にはその所要パッケージング空間を最小化するために、折畳みおよびローリング工程を介してエアバッグをコンパクトにするように梱包される。エアバッグのパッケージングボリュームは、真空折畳み工程を使用することによって最小化されることができ、真空折畳み工程は気密封止性を有し大気圧よりかなり低い圧力を有するチャンバを使用することができる。例えば真空折畳み工程は、エアバッグクッションを包囲する封止部材（例えばプラスチックバッグ）を含むことができ、次いで封止部材は圧力を大気圧に対して低減され、封止部材および内部エアバッグクッションによって占有される体積が低減される。次いで封止部材は気密封止され、エアバッグモジュールの組立中および車両内への設置中に小さい体積を維持することができる。
【００３１】
車両の動的衝撃事象中に、助手席側エアバッグ（ＰＡＢ）モジュールは、ダッシュボードの上部（すなわちグローブボックスの上）から、乗員の頭および胴体を保護するように略後向きおよび上向きの方向に展開することができる。ＰＡＢモジュールはまた、ダッシュボードの後向き部分から略後向きの方向に、乗員に向かって展開することもできる。運転者側エアバッグ（ＤＡＢ）モジュールは典型的にはステアリングコラム内に収納され、典型的にはその所要パッケージング空間を最小化するために、折畳みおよびローリング工程を介してエアバッグをコンパクトにするように梱包される。車両の動的衝撃事象中に、運転者エアバッグは、運転者の頭および胴体を保護するように後向きの方向に、運転者に向かって展開することができる。
【００３２】
図１に示すように、自動車１０は、運転者を拘束することによって運転者保護を達成するようにＤＡＢモジュール２０を含むことができる。自動車１０はさらに、追加的乗員の保護を達成するように、ＰＡＢモジュールまたは他のエアバッグモジュールを含むことができる。車両１０は典型的なセダンとして例示されているが、本明細書に開示するエアバッグモジュールは、任意のタイプの乗用車内のみならず、着座した乗員に対し正面エアバッグの形で乗員保護をもたらす他の移動車両（例えば軍用車両、大量輸送車両）内でも使用することができる。本明細書に開示するエアバッグモジュールは、エアバッグクッションの展開をトリガする車両の動的事象中に、任意の車両内で任意の乗員に改善された保護を提供するために使用されることができる。
【００３３】
図２に示す通り、ＤＡＢモジュール２０は、膨張可能なエアバッグクッション２３を含むことができ、エアバッグクッション２３は乗員１３とステアリングコラム１２との間に設けられた展開または膨張位置に示されている。ＤＡＢモジュール２０の膨張可能なエアバッグクッション２３は、車両１０のエアバッグ展開事象中に運転者が例えば車両１０のステアリングコラム１２および／または計器盤１１に接触することなどを防止することによって、乗員（例えば運転者）に保護を提供する。典型的には、ＤＡＢモジュール２０の展開は車両の動的衝撃によってトリガされ、それによって衝撃センサ（図示せず）は、エアバッグモジュール２０のインフレータ２１に連絡する車両制御モジュール（図示せず）または他の装置に連絡して膨張ガスの発生を開始させ、次いでガスは膨張可能なエアバッグクッション２３内に送り込まれる。膨張ガスがＤＡＢモジュールのエアバッグクッション内に送り込まれると、エアバッグクッション２３の内部チャンバ圧力が増大して、エアバッグクッションがステアリングコラム（または他の収納部材）およびエアバッグモジュール２０を突破することが可能になり、それによってエアバッグクッション２３は実質的に外向きに（すなわち車両の長手軸または前後軸に対し略直角に、または車両１０の前後方向に対し斜角を成して）かつ後向きに、乗員１３に向かって展開する。エアバッグモジュール２０は、エアバッグクッション２３を介して乗員を拘束し、かつ減速する乗員の変位を制限して、乗員１３の運動量および運動エネルギを軽減することによって、乗員の安全性を改善する。展開されたエアバッグクッション２３は、乗員１３が減速されることから生じるエネルギ（例えば運動エネルギ）および力を吸収する。エアバッグモジュール２０のエアバッグクッション２３はさらに、略剛性の車両部品、例えばステアリングコラム１２などによる乗員１３の衝撃を低減または排除することによって、乗員の負傷を低減する。
【００３４】
図３〜７ＢはＤＡＢモジュール２０を開示する。モジュール２０はインフレータ２１、クッションパック２２、カバー３０、保持部材（またはリング）４０、および係止部材（またはリング）５０を含む。図３は組み立てられたＤＡＢモジュール２０を示し、それによって保持部材４０はクッションパック２２を保持しかつ係止部材５０に連結され、係止部材はクッションパック２２に隣接してインフレータ２１を保持する。カバー３０はクッションパック２２上に設けられ、保持部材４０に係合する。
【００３５】
クッションパック２２は膨張可能なエアバッグクッション２３を含み、かつ構造部材（例えばクッションリング）２４を含むことができる。膨張可能なエアバッグ２３は構造部材に結合されることができ、それによって構造部材２４に隣接してクッションに保持溝２６が形成される。保持溝２６は、保持部材４０によるクッションパック２２の保持が可能になるように構成される。折畳み、ローリング、または折畳みおよびローリングの組合せを介して、エアバッグクッション２３は、パッケージングボリュームの低減が可能となるように構成されることができるが、必ずしも真空封止する必要はない。図７Ａに示すように、クッションパック２２は膨張可能なエアバッグクッション２３、クッション２３に隣接して設けられた構造部材（またはクッションリング）２４を含み、またエアバッグクッション２３をカバーする封止部材２５をも含むことができる。
【００３６】
エアバッグクッション２３は任意の適切な材料（例えばナイロン編織物）から作られることができ、任意の適切な形状であることができ、この形状は特定の顧客の要求を満たすように調整されてもよい。エアバッグクッション２３は、膨張ガスがクッションの多孔性を介して逃散するのを防止するように、シーラント（例えばシリコーン）で被覆されることができる。構造部材２４はエアバッグクッション２３と結合されて、クッションパック２２に（例えばエアバッグクッション２３の展開中に）強度をもたらし、それによって構造部材２４およびエアバッグクッション２３は保持溝２６を形成する。保持溝２６は、保持部材４０によるクッションパック２２の保持を助けるように、クッションパック２２のアンダーカット部として構成されることができる。構造部材２４は、鋼、複合材（例えばガラス強化ナイロン、ガラス強化ポリプロピレン）、または実質的に剛性であってエアバッグの展開中に生じる大きい力に耐えるのに必要な強度をもたらす任意の適切な材料から作られることができる。
【００３７】
封止部材２５は、結合された膨張可能なエアバッグクッション２３を包囲しかつ大気圧に対して相対的に低い圧力を有する真空密封チャンバを形成するように構成された、薄い可撓性の気密または不透水性材料（例えばポリマ）であることができる。封止部材２５は、クッションパック２２のパッケージングボリュームを任意選択的に低減させるように低圧の気密封止を形成することができる。封止部材２５は、展開するエアバッグクッション２３が妨害されずまたは遅滞無く封止部材２５を突破することができるように構成される。
【００３８】
図８Ａ〜８Ｃに示すように、環状の保持部材４０は２つの部分から組み立てられることができる。第１保持部（またはリング）４０ａ（図８Ｂに示す）は、環状保持部材４０の実質的半分を形成することができ、第２保持部（またはリング）４０ｂ（図８Ａに示す）は、環状保持部材４０の実質的に残りの半分を形成することができる。代替的に、保持部材は３つ以上の部分から形成されることができる。複数の部分の各々は、実質的に同一または異なる周長（または部分）を有することができる。したがって、複数の部分の各々は、保持部材の異なる量を形成することができる。
【００３９】
保持部材４０を形成する第１および第２保持部４０ａ、４０ｂは、複合材（例えばガラス強化ナイロン、ガラス強化ポリプロピレン）、またはエアバッグの展開中に誘発される大きい力に耐える強度を有する任意の適切な材料から作成されることができ、かつ射出成形または任意の適切な工程を介して形成されることができる。第１保持部４０ａは、少なくとも１つのコネクタ（または第１結合機構）４１を用いて、第２保持部４０ｂに連結されることができる。保持部材４０の部分４０ａ、４０ｂは連結後、クッションパック２２を保持部材４０に対して適位置に保持し、保持部材４０に対するクッションパック２２の長手方向の実質的変位を防止することができる。
【００４０】
ＤＡＢモジュール２０の保持部材４０は、第１保持部４０ａの第１端を第２保持部４０ｂの第１端に結合するためのコネクタ４１、および第１保持部４０ａの第２端を第２保持部４０ｂの第２端に結合するためのコネクタ１４１を含むことができる。ＤＡＢモジュール２０はさらに、保持部材４０を係止部材５０に結合するように構成された取り付け部材を含むことができる。保持部材４０もまた、係止部材５０の取り付け部材（第２結合機構）５２に係合するように構成された取り付け部材（または第２結合機構）４２を含むことができ、それによって保持部材４０を係止部材５０に結合する。本明細書で述べる通り、係止部材５０は、係止部材５０の一部を結合するためのコネクタを含むことができ、それは保持部材４０のコネクタと同様にまたは異なるように構成することができる。
【００４１】
保持部材４０のコネクタ４１は、第２保持部４０ｂの相手機構４１ｂと係合するように構成された第２保持部４０ａの機構４１ａを含むことができる。例えば、第１保持部４０ａの機構４１ａは、第２保持部４０ｂの機構４１ｂと係合するように構成された円弧状部材として構成することができ、それによって機構４１ｂは、図８Ｃに示すような円弧状空隙として構成される。
【００４２】
図８Ｃに示す通り、保持部材４０のコネクタ１４１は、第１保持部４０ａの機構１４１ａと係合するように構成された第２保持部４０ｂの機構１４１ｂを含むことができる。第２保持部４０ｂの機構１４１ｂは、第１保持部４０ａの機構１４１ａと係合するように構成された突出部の片側の端部付近に戻止め(detent)を持つ突出部を有するフック（またはタブ）であり、よって特徴１４１ａはフック機構１４１ｂを受容するように構成された開口である。開口機構１４１ａはさらに、フック機構１４１ｂの戻止めと係合するように構成された戻止めまたは突起を含むことができ、それによって第１および第２保持部４０ａ、４０ｂがコネクタ１４１を介して係止される。
【００４３】
コネクタ１４１またはコネクタ１４１の一部分は可撓性または応従性とすることができる。例えばフック機構１４１ｂは可撓性(flexible)または応従性(compliant)とすることができ、フック機構１４１ｂの戻止めが開口機構１４１ａの戻止めを通過するときに、フックは撓むことが可能になり、フック機構１４１ｂの戻止めが開口機構１４１ａの戻止めを超えて通過したときに、フックは撓む前の構成に戻ることが可能になる。フック機構１４１ｂおよび開口機構１４１ａの戻止めの先端面は、横方向の力でフック機構１４１ｂを屈曲させまたは撓ませることによって２つの戻止め間の係合が容易になるように、（係合角度に対する）ランプまたは傾斜面として構成することができる。
【００４４】
コネクタ１４１は、第１および第２保持部４０ａ、４０ｂを共に係止するように構成されることができる。例えば、フック機構１４１ｂおよび開口機構１４１ａの戻止めは、撓み（または屈曲）の方向に対し略直角方向に相互に係合する表面を有することによって、分離に抵抗するように構成されることができる。フック機構１４１ｂは張力にさらされ、戻止めは曲げ力をほとんどまたは全く受けずに剪断力を受ける一方、開口機構１４１ａの戻止めは剪断力を受けることができる。
【００４５】
図９に示すさらに別の例示的実施形態によると、第１保持部２４０ａは、複数のコネクタ２４１を介して第２保持部２４０ｂに接続され、それによって保持部２４０が形成される。コネクタ２４１は、相手保持部の開口（または空隙）機構２４１ａに係合または充填するように構成された、可撓性タブ機構２４１ｂを１つの保持部に含む。タブ機構２４１ｂは、開口機構２４１ａと係止嵌合するように構成されたスロットまたは空隙の両側に戻止めを含む。
【００４６】
タブ機構２４１ｂは開口機構２４１ａとの締まり嵌めを有することができ、よって開口機構２４１ａ内へのタブ機構２４１ｂの挿入は、戻止めをスロット内に変位させることによってタブ機構２４１ｂを圧縮させて、タブが開口機構２４１ａの開口内に移動することを可能にする。開口機構２４１ａは、可撓性タブ機構２４１ｂの戻止めが実質的に非変位形状に戻ることを可能にするために、開口と比較して大きい（すなわち断面が大きい）キャビティを含む。こうしてタブ機構２４１ｂを開口機構２４１ａによって保持されることができる。
【００４７】
加えて、保持部の各端にコネクタ機構を有することができるので、保持部の両端が結合されることができる。他の例示的実施形態によると、保持部材の保持部は、溶接（例えば音波溶接）、接着剤、または方法の任意の組合せによって結合されることができる。保持部材を結合するための任意の適切な方法を使用されることができ、本明細書に開示する方法に限定するつもりはないことを、当業者は理解されたい。
【００４８】
保持部材４０はさらに、クッションパック２２の相手アラインメント部材と係合するアラインメント部材（例えばエンボス、突起、鍵穴）を含むことができ、それは保持部材４０とクッションパック２２との間の回転の向きまたは関係（すなわち長手軸２９を中心とする回転）を調整する。アラインメント部材４４（例えばエンボス、突起、鍵穴）は、クッションパック２２の構造部材２４の対応する位置合わせ用空隙または凹所２４ａ（図４に示す）と係合し、それが保持部材４０と構造部材２４（およびしたがってクッションパック２２）との間の回転関係を調整する。図９および１１に示す通り、保持部材４０のアラインメント部材４４は半円形エンボスとして構成されることができ、それはクッションパック２２の構造部材２４の相手半円形位置合わせ用空隙と係合する。こうして、保持部材４０とクッションパック２２との間の回転アラインメント（長手軸２９を中心とする）が決定される。
【００４９】
エアバッグクッション２３は、保持部材４０に対するＤＡＢモジュール２０の長手軸２９を中心とするクッション２３の回転を防止するように、構造部材２４に結合されることができる。こうして、ＤＡＢモジュール２０は、ＤＡＢモジュール２０に対するエアバッグクッション２３の配置またはアラインメントのための反復可能かつ信頼できる方法を有し、ＤＡＢモジュールは各車両に同じように設置されることができる。この反復可能なアラインメントは、乗員および車両環境に対する予め定められた展開位置で最適な乗員保護がもたらされるようにエアバッグクッションの設計（例えば形状、テザー位置、ベント位置）を構成されることができるので、最適な乗員保護をもたらす反復可能な展開エアバッグクッション位置を確実にする。
【００５０】
保持部材４０を形成する第１および第２保持部４０ａ、４０ｂは半円環状の形状であることができ、クッションパック２２の構造部材２４を支持するように構成されたベース４５を含む。保持部４０ａ、４０ｂはさらに、ベース４５から略垂直に延びかつ間隙４７ａによって分離される内壁４６ａおよび外壁４６ｂを含み、間隙はカバー３０の間隙４７ａ内へのアクセスを可能にするように構成される。保持部４０ａ、４０ｂの内壁の内面から保持部材４０の中心に向かって半径方向に延びるのは、複数の保持部材（または突出タブ）４３である。タブ４３は、ベース４５と略平行でありかつベースから偏位した保持面４３ａを含み、それによってベース４５と保持面４３ａとの間に第２間隙４７ｂが形成される。
【００５１】
第２間隙４７ｂは、クッションパック２２の構造部材２４を受容するように構成される。保持部材４０の保持部４０ａ、４０ｂを結合すると、構造部材２４は保持部材４０のタブ４３とベース４５との間に保持され、保持部材４０に対する構造部材２４（およびしたがって同様にクッションパック２２）の長手軸２９の長さに沿った実質的な移動を防止する。こうして、構造部材２４は図１０に示すように、保持部材４０のタブ４３によって保持されることができる。
【００５２】
保持部材４０のタブ４３は、強度をもたらし、かつエアバッグの展開中に拡張するエアバッグクッションからクッションリングによって誘発される力に耐えるように、略剛性に構成される。構造部材２４および／またはクッションパック２２は、保持部４０ａ、４０ｂを構造部材２４および／またはクッションパック２２の周りで一つに合わせることによって、保持部材４０と共に組み立てられることができるので、保持部材が一体部品でありかつ構造部材が保持部材および構造部材を共に（長手）軸方向に押すことによって結合される場合のように、タブ４３も構造部材２４も、相互に対して変位する（または撓む）ように構成される必要がない。タブ４３の大きさおよび数量は様々な負荷状況に適合されるように調整することができ、本明細書に開示する実施形態に限定するつもりはないことに留意されたい。
【００５３】
保持部材４０の保持部４０ａ、４０ｂはさらに、保持部材４０を係止部材５０に連結するように構成された取り付け部材（または第２結合機構）４２を含むことができる。図１２に示す例示的実施形態によると、取り付け部材４２は、保持部材４０のベース４５の底面４５ａから延びる２つの突出部４２ａを含み、それによって各突出部４２ａはベース４５から最も遠い端部付近にランプ（または傾斜）形戻止め機構を有する。取り付け部材４２の各突出部４２ａは、係止部材５０の取り付け部材５２の対応する相手部分と係合するように柔軟に構成されることができる。
【００５４】
係止部材５０に配置される取り付け部材５２を保持部材４０の取り付け部材４２の相手部分に接触させると、各突出部４２ａと係止部材５０の対応する相手取り付け部材５２との間に締まり嵌め(interference fit)が生じ、それは各突出部４２ａを弾性的に変位させる（蓄積付勢エネルギを形成する）ので、係止部材５０の取り付け部材５２の相手部分が各突出部４２ａの戻止めを通過することができる。各突出部４２ａは、蓄積付勢エネルギが突出部４２ａをそれらの自由位置に戻すので、突出部４２ａ（例えば戻止め）を取り付け部材５２の相手部分に係止するように、ベース４５の底面４５ａと突出部４２ａの戻止めとの間に設けられたアンダーカット（または空隙）を有することができる。こうして、係止部材５０が保持部材４０との干渉係合の先まで変位される（すなわち保持部材４０の方に近づいた）ときに、係止部材５０の取り付け部材５２は、取り付け部材４２のアンダーカット部と係合し、蓄積付勢エネルギのため戻止めが自由位置（すなわち変位前の位置）に戻ることを可能にする。
【００５５】
保持部材４０の取り付け部材４２は、係止部材５０の取り付け部材５２に連結し、保持部材４０を係止部材５０に結合する。エアバッグモジュール２０は、任意の数のそのような連結を含むように構成されることができ、それはエアバッグモジュールがエアバッグの展開中に受ける荷重に適合するように調整されることができる。例えば、エアバッグモジュール２０は、図１３Ｂに示す４つのそのような連結を含む。
【００５６】
保持部材と係止部材との間の連結は、係止部材の相手取り付け部材と係合する、保持部材のベースの底面から延びる１つの突出部を含む取り付け部材によって形成されることができる。他の例示的実施形態によると、取り付け部材は任意のスナップ機構構成、または保持部材を係止部材に結合するための任意の方法であることができる。取り付け部材は任意の従来のファスナ（例えばボルト、リベット）であることができ、化学的方法（例えば接着剤、エポキシ）であることができ、あるいは任意の溶接（例えば音波溶接）であることができる。例えば図１８に示すように、取り付け部材は、保持部材３４０と一体的に形成されかつベース３４５の底面３４５ａからベース３４５から遠ざかる方向に略垂直に延びるスタッド(stud)３４２として構成されることができる。スタッド３４２は別個に形成され、次いで保持部材３４０に結合されることができる。スタッド３４２は保持部材に圧入されるか、鍵穴嵌合されるか、あるいは締付力によって保持されることができ、取り付け部材（例えばナット）３５２と係合するように構成されることができる。取り付け部材３５２は別個に形成され、次いで連結されるか、あるいは係止部材３５０および／またはインフレータ３２１と一体的に形成されることができる。
【００５７】
保持部材３４０および／またはＤＡＢモジュール３２０は、モジュールを車両に結合するために装着（または取り付け部材もしくは結合）機構または部材を含むことができる。図１８および１９に示す例示的実施形態によると、装着部材３８０は保持部材３４０に一体的に形成される。装着部材３８０は、任意の適切または従来の形状を取ることができる。他の実施形態によると、装着部材は別個に形成され、次いで保持部材に結合されることができる。装着部材は、任意の適切な機構（例えば従来のファスナ、スナップ）を受容するように構成することができ、あるいは車両の受容装置に係合するように構成されることができる。
【００５８】
図１３Ａおよび１３Ｂに示すように、保持部材４０は、係止部材５０の相手アラインメント部材（または機構）５９に係合することによって、保持部材４０と係止部材５０との間の回転の向きまたは関係を調整するように構成されたアラインメント（または配向）部材（または機構）４９を含むことができる。保持部材のアラインメント部材は、係止部材の相補的形状の相手部材と係合するように構成されたエンボス、突起、鍵穴機構、または、任意の適切な機構であることができ、その逆も同様である（すなわち係止部材は保持部材の相手部材と係合するエンボスを含むことができる）。例示的実施形態によると、保持部材４０は、ベース４５の底面４５ａから延びる突出部分として構成されたアラインメント部材４９を含み、係止部材５０は、保持部材４０の突出アラインメント部材４９の少なくとも一部分を取り囲むように構成された相手アラインメント部材５９を含む。別の例示的実施形態によると、係止部材は、係止部材の突出部分を保持するように保持部材のベースのアパーチャ（または相手機構）内に延びる突出部分を含む。こうして、アラインメント部材４９、５９は、結合されたときに保持部材４０に対する係止部材５０の適切な回転アラインメント（または位置もしくは向き）を確実にする。
【００５９】
図１４を参照すると、カバー３０の例示的実施形態が示されている。カバー３０は、ポリマまたは複合材から作られ、クッションパックを保護するように構成されることができる。例示的実施形態によると、カバー３０は天板部材３１および、天板部材３１から略垂直に延びる環状壁３２を含み、それによってエアバッグモジュール２０のクッションパック２２を収容するように構成されたキャビティ３５を形成する。カバー３０の壁３２は、カバーを保持部材のようなエアバッグモジュールに連結するための少なくとも１つの部材（または係合部材または係合機構）３３を含む。係合部材３３は、保持部材４０の相手フック部材４８を受容するように構成された開口またはアパーチャ３４を有する、壁３２からの略矩形延長部であることができる。
【００６０】
カバー３０はさらに、保持部材４０に対するカバー３０の適切なアラインメント（または配向）を確実にするために保持部材４０に係合するように構成されたアラインメント部材を含むことができる。図１４に示す例示的実施形態によると、カバーのアラインメント部材は、第２開口に対して独特の大きさ（例えば幅）を有する第１開口３４ａを含み、それによって第１開口３４ａの位置は第２開口３４ｂに対して独特に構成され、保持部材に対するカバーの単一の位置だけが許容される。他の実施形態によると、係合部材３３および／または開口３４は、カバー３０と保持部材４０との間の適切なアラインメントを確実にするように構成されることができる。カバーはさらに、展開するエアバッグクッションが妨害されずまたは遅滞無くカバーを突破できるように、断裂するように構成することのできるテアシームを含むことができる。カバーはしばしば、展開されるエアバッグクッションの構成に合わせてカバーの断裂を調整するように独特にまたは非対称に構成された、２つ以上のテアシームを含むことができる。カバーはさらに、エアバッグモジュールの製造者を識別するために商標のようなシンボル（またはエンブレム）を含むことができる。したがって、カバー３０のアラインメント部材は、テアシームおよび／または機能のためのシンボルおよび／または美的目的の適切なアラインメントを確実にする。
【００６１】
カバー３０の壁３２は、保持部材４０の間隙４７ａと係合するように構成されることができる。保持部材４０のフック部材４８は、内壁４６ａまたは外壁４６ｂから延びるように構成されることができる。フック部材４８は、Ｌ字形またはＪ字形のような任意の適切な形状を取ることができる。例示的実施形態によると、保持部材４０は、Ｌ字形フック部材４８のベースが内壁４６ａに向かって（しかしその手前まで）延びるように、外壁４６ｂから延びる複数のＬ字形フック部材４８を含む。Ｌ字形の各フック部材４８は、カバー３０の１つの対応する開口３４と係合して、カバー３０を保持部材４０に結合させるように構成される。
【００６２】
図１５〜１７は、インフレータ２１を保持するように構成された環状係止部材５０を開示する。係止部材５０は、環状部材の略半分を形成する第１係止部分５０ａ、および環状部材の残りの略半分を形成する第２係止部分５０ｂを含む。係止部材５０は２つまたはそれ以上の部分から形成されることができ、部分は様々な周長に構成され、したがって係止部材５０の様々な量を形成することができる。係止部分５０ａ、５０ｂは複合材（例えばガラス強化ナイロン、ガラス強化ポリプロピレン）、またはエアバッグの展開中に誘発される大きい力に耐える強度を有する任意の適切な材料から作られることができ、射出成形または任意の適切な工程を介して作成されることができる。
【００６３】
係止部分は、コネクタまたは他の機構を介して他の係止部分に連結するように構成されることができる。例示的実施形態によると、第１係止部分５０ａは、コネクタ５１を用いて第２係止部分５０ｂに連結され、それによって連結後、係止部材５０の係止部分５０ａ、５０ｂは、インフレータ２１を係止部材５０に対して適位置に保持し、係止部材５０に対するインフレータの長手方向の実質的変位を防止する。コネクタ５１は、エアバッグの展開中に生じる分離力に耐えるように構成されることができる。
【００６４】
係止部材５０のコネクタ５１は、第２係止部分５０ｂの相手機構５１ｂと係合または結合するように構成された第１係止部分５０ａの機構５１ａを含むことができる。機構５１ａは、他の係止部分における同様の形状の空隙機構に係合または嵌合するように構成されたフック形部材として構成されることができる。フック機構５１ａは、別のフック機構５１ｂに連結するように構成されることができ、あるいはフック機構５１ａを保持するために戻止めを持つキャビティを形成する相手機構５１ｂと係合するように構成されることができる。２つの部材を連結する任意の公知または将来開発される方法を使用して、係止部材の一部を接続することができること、および本明細書に開示する方法に限定するつもりはないことに留意されたい。
【００６５】
コネクタ５１の一部分は可撓性または応従性となるように構成されることができ、非応従性部分または別の応従性部分に対して弾性的に撓む（または変位する）ことが可能である。コネクタ５１は、可撓性でありかつ他の係合部分の相手機構５１ｂに形成された略固定戻止めとの締まり（または係止）嵌めを有するように構成された、コネクタ５１のフック機構５１ａを含むことができる。可撓性フック機構５１ａは、別の係止部分の空隙またはスロットと係止係合するように構成されることができる。別の例示的実施形態によると、係止部分５０ａ、５０ｂは溶接（例えば音波溶接）によって結合される。さらに、第１係止部分５０ａのような係止部分の各端はコネクタ５１を含むことができるので、係止部分の両端は第２係止部分０ｂのような別の係止部分の端部に結合されることができる。係止部材５０を結合するための任意の適切な方法が使用されることができ、本明細書に開示する方法に限定するつもりはないことを、当業者は理解されたい。
【００６６】
係止部材５０は、係止部材５０に対してインフレータを保持する機構を含むように構成されることができる。例示的実施形態によると、係止部材５０は、実質的に係止部材５０の周長に走る（または延びる）アンダーカット部(undercut portion)（またはキャビティもしくは凹所）５３を含む。別の例示的実施形態によると、キャビティ５３は、係止部材５０の全周未満の長さを有する外周の特定部分に沿って延びる。キャビティ５３は、インフレータ２１のフランジ２１ａを受容するように調整された断面形状（例えば矩形、半円形）を有することができる。インフレータ２１のフランジ２１ａが係止部材５０のキャビティ５３（または保持機構）と係合すると、インフレータは長手方向に（すなわち長手軸２９に沿って）係止部材５０に略固定されることができる。
【００６７】
係止部材５０はさらに、係止部材５０とインフレータ２１との間の回転の向きまたは関係を調整するためにアラインメント部材（または機構）を含むことができる。例示的実施形態によると、係止部材５０は、図１７に示すようなキャビティ５３に設けられた半円形エンボスとして構成されかつアンダーカット断面に割り込むことのできる、アラインメント部材５４を含む。インフレータ２１のアラインメント部材２１ｂは、図４に示すように、インフレータ２１のフランジ２１ａにおける陥凹部分として構成される。他の実施形態によると、アラインメント部材５４は多角形または任意の適切な形として構成されることができ、それはインフレータの同様に構成された形状と嵌合するように構成されることができる。アラインメント部材５４は、係止部材５０に対するインフレータ２１の反復可能な回転位置（またはアラインメントもしくは配向）を確実にするように構成される。これは、インフレータがエアバッグクッションに対して適切に位置合わせまたは配向することを可能にし、車両におけるクッションの反復可能な展開配置を達成する。インフレータが任意の適切な方法を用いて、係止部材５０によって保持されること、およびアラインメント部材が任意の形状を形成することができることを、当業者は理解されたい。
【００６８】
係止部材５０はさらに、係止部材５０を保持部材４０に連結するために取り付け部材（または第２連結機構）５２を含むことができる。図１６および１７に示す例示的実施形態によると、取り付け部材５２は、係止部材５０の外面（外周を形成する）から延びるリング状部分５２ｂとして構成され、それによってリング状部分５２ｂは、保持部材４０の取り付け部材４２の係合部分を保持するように構成された２つの突出部分５２ａを含む。
【００６９】
図１２に示すように、保持部材４０の取り付け部材４２の突出部４２ａは、保持部材４０および係止部材５０を結合するために、係止部材５０の取り付け部材５２の突出部分５２ａに係合するように構成される。保持部材４０の各突出部４２ａの戻止めは、係止部材５０の係合部分との締まり嵌めを有するように構成されることができるので、保持部材および係止部材の結合中に、戻止めが張り出し部分４２ａを突出部分５２ａから離れて変位位置に撓ませる（または変位させる）ことができる。係止部材５０が保持部材４０に対して完全係合（または結合）位置に移動すると、保持部材４０の突出部４２ａの戻止めは、係止部材５０の突出部５２ａの端部の先を越えて通過し、突出部４２ａは略自由位置（または撓み前の位置）に戻ることができる。したがって、結合された後、係止部材５０の取り付け部材５２の突出部５２ａは、図１２に示すように、保持部材４０の取り付け部材４２の突出部４２ａを保持する。
【００７０】
保持部材４０は、溶接工程（例えば音波溶接）によって、１つもしくはそれ以上のファスナを介して、または方法の組合せを介して、係止部材５０に連結されることができる。任意の適切な方法を用いて係止部材５０を保持部材４０に結合することができ、本明細書に開示する方法に限定するつもりはないことを、当業者は理解されたい。
【００７１】
図１８および１９に示すように、ＤＡＢモジュール３２０の例示的実施形態によると、保持部材３４０は複数の保持部を含むことができる。モジュール３２０は、複数の開口を持つフランジ３２１ａを有するインフレータ３２１と、膨張可能なエアバッグクッションを有するクッションパック（図示せず）と、カバー３３０とを含むことができる。インフレータ３２１のフランジ３２１ａの開口（またはアパーチャもしくは穴）は、インフレータ３２１を保持部材３４０に保持するために、図１９に示すようなスタッドまたは従来のファスナ（例えばボルト）３４２を受容するように構成される。保持部材３４０は、保持部材と一体的に形成することのできる１つまたはそれ以上のスタッド３４２を含むように構成されることができ、あるいは保持部材３４０とは別個に形成され、それに結合（例えば圧入、螺合、スナップイン）されることができる。スタッド３４２は、ナット３４３を介して、または任意の適切な方法（例えばかしめ、溶接）を介して、インフレータ３２１を保持部材に保持するように構成されることができる。
【００７２】
本明細書に開示するエアバッグモジュールは、従来のエアバッグモジュールと比較してより少数の構造部材を有するより効率的な設計から質量を低減させることによって、改善された構成のエアバッグモジュールをもたらす。本明細書に開示するエアバッグモジュールはさらに、クッションを他の構成部品に保持するためにファスナまたは他の装置をエアバッグクッションに貫通させなければならない場合には使用されることができない、真空折畳みエアバッグクッションの構成を可能にする。エアバッグクッション（またはクッションパック）、カバー、およびインフレータのための独立した取り付け機構を有する本明細書に開示するエアバッグモジュールは、逐次組立ステップを有する自動組立工程を可能にし、それは柔軟性をもたらし、効率を改善し、コストを低減する。
【００７３】
本明細書で使用する場合、用語「およそ」、「約」「実質的に」、および類似の用語は、本開示の主題が関係する分野の通常の熟練者により受け入れられた一般的な語法と調和した広義の意味を有するように意図されている。これらの用語は、提示する厳密な数字範囲にこれらの特徴の請求範囲を制限することなく、記載かつ請求する特定の特徴の説明を可能にするように意図されていることを、この開示を精査する当業者は理解されたい。したがってこれらの用語は、記載かつ請求する主題のささいなまたは重要でない変形または変更が、添付する特許請求の範囲に記載する発明の範囲内とみなされることを示していると解釈すべきである。
【００７４】
用語「例示的」とは、種々の実施形態を記載するために本明細書で使用する場合、そのような実施形態が可能な実施例、代表例、および／または可能な実施形態の例証であることを示すように意図されており、（かつそのような用語は、そのような実施形態が必然的に異常なまたは誇張された実施例であることを暗示するように意図されたものではない）ことに留意されたい。
【００７５】
用語「結合」、「連結」等は本明細書で使用する場合、２つの部材を直接または間接的に相互に接合することを意味する。そのような接合は静的（例えば永久的）または可動（例えば取外し可能または解放可能）とすることができる。そのような接合は、２つの部材もしくは２つの部材および任意の追加的中間部材が単一体として互いに一体的に形成されることにより、または２つの部材もしくは２つの部材および任意の追加的中間部材が互いに取り付けられることにより、達成することができる。
【００７６】
本明細書における要素の位置の言及（例えば「頂部」、「底部」、「上」、「下」等）は、単に図中の種々の要素の位置付けを記載するために使用するにすぎない。種々の要素の位置付けは他の例示的実施形態では異なるかもしれず、かつそのような変形は本発明の開示によって包含されるように意図されていることに留意されたい。
【００７７】
種々の例示的実施形態に示すエアバッグモジュールの構成および配列は、単なる例示であることに留意することが重要である。この開示では少数の実施例だけを詳細に説明したが、この開示を精査する当業者は、本明細書に記載した主題の新規の教示および利点から実質的に逸脱することなく、多くの変形（例えば種々の要素の大きさ、寸法、構造、形状、および割合、パラメータの値、取り付け構成、材料の使用、色、位置付け等の変形）が可能であることを容易に理解されるであろう。例えば一体的に形成されるとして示された要素は、複数の部品または要素から構成することができ、要素の位置は逆にするか、あるいはその他の方法で変化させることができ、個別要素の性質もしくは個数または位置を変更または変形することができる。工程または方法ステップの順序またはシーケンスは、代替的実施形態に従って変更または並べ直すことができる。本発明の範囲から逸脱することなく、種々の例示的実施形態の設計、作動条件、および構成において他の置換、変形、変化、および省略も行われることができる。
【図１】
0006008464.tif 000002
【図２】
0006008464.tif 000003
【図３】
0006008464.tif 000004
【図４】
0006008464.tif 000005
【図５】
0006008464.tif 000006
【図６】
0006008464.tif 000007
【図７Ａ】
0006008464.tif 000008
【図７Ｂ】
0006008464.tif 000009
【図８Ａ】
0006008464.tif 000010
【図８Ｂ】
0006008464.tif 000011
【図８Ｃ】
0006008464.tif 000012
【図９】
0006008464.tif 000013
【図１０】
0006008464.tif 000014
【図１１】
0006008464.tif 000015
【図１２】
0006008464.tif 000016
【図１３Ａ】
0006008464.tif 000017
【図１３Ｂ】
0006008464.tif 000018
【図１４】
0006008464.tif 000019
【図１５】
0006008464.tif 000020
【図１６】
0006008464.tif 000021
【図１７】
0006008464.tif 000022
【図１８】
0006008464.tif 000023
【図１９】
0006008464.tif 000024